(57)【要約】【課題】都市に対して、任意の個人が意思表示に関する情報を複数の個人、企業、組織によって共有可能にするために携帯端末装置を用いて自由に発信することにより動的な情報として蓄積可能とし、さらに、公衆ネットワークに無線又は有線で接続可能な携帯端末装置を用いて動的な情報及び静的な情報からなるコミュニティ情報を得ることができるシステムを提供する。【解決手段】位置情報取得装置及び情報送信装置を搭載した携帯端末装置１０から携帯端末利用者の意思表示に関するユーザ情報を公衆回線を介してホストコンピュータ２０に送信し、送信されたユーザ情報を蓄積し、携帯端末装置１０から送信されたリクエストに応じて蓄積されたユーザ情報から検索し、この検索結果を表示する。【選択図】      図１
2004213204.tif 000002
【特許請求の範囲】
【請求項１】
位置情報取得装置及び情報送信装置を搭載した携帯端末装置から携帯端末利用者の意思表示に関するユーザ情報を公衆回線を介してホストコンピュータに送信するために収集するユーザ情報収集手段と、ユーザ情報収集手段から送信されたユーザ情報を蓄積する蓄積手段と、携帯端末装置から送信されたリクエストに応じて蓄積手段に蓄積されたユーザ情報から検索をする検索手段と、検索結果を表示するクライアント情報表示手段とを含むことを特徴とする位置情報を用いた都市型コミュニティシステム。
【請求項２】
ユーザ情報収集手段は携帯端末利用者の意思表示に関するユーザ情報として送金処理に係る金額と送金先に関する情報を収集することを特徴とする請求項１記載の位置情報を用いた都市型コミュニティシステム。
【請求項３】
送金処理に係る金額と送金先に関する情報が含まれているかどうかを判断する送金処理判断手段を更に含むことを特徴とする請求項２記載の位置情報を用いた都市型コミュニティシステム。
【請求項４】
送金処理判断手段により送金処理に係る金額と送金先に関する情報が含まれていると判断された場合、送金処理を実行する送金処理手段を更に含むことを特徴とする請求項３記載の位置情報を用いた都市型コミュニティシステム。
【請求項５】
蓄積手段は複数のユーザ情報を所定サイズの領域からなる複数の区画に蓄積しており、検索手段は、携帯端末装置から送信されたリクエストをデータベースが受信した場合、その時点の周辺状況を表すために複数の区画の情報を抽出することを特徴とする請求項１乃至４のいずれかに記載の位置情報を用いた都市型コミュニティシステム。
【請求項６】
蓄積手段は複数の携帯端末利用者毎にリクエストの送信履歴をユーザ情報として蓄積しており、検索手段は他の携帯端末利用者の送信履歴の一部を推薦地点の検索結果として抽出することを特徴とする請求項１乃至５のいずれかに記載の位置情報を用いた都市型コミュニティシステム。
【請求項７】
検索手段による検索結果からクライアント情報表示手段で表示可能にするためにダウンロード用データを生成する生成手段を更に含むことを特徴とする請求項１乃至６のいずれかに記載の位置情報を用いた都市型コミュニティシステム。
【発明の詳細な説明】
【０００１】
【発明の属する技術分野】
本発明は、位置情報を用いた都市型コミュニティシステムに関するものである。
【０００２】
【従来の技術】
従来、位置情報を用いたシステムとして、情報検索・発信端末に自らの置かれている状況（位置など）を利用した検索・情報更新を行うシステムが提案されている。
【０００３】
たとえば、特開平９−１５３０５４号公報には、次のような情報検索・発信端末装置及び検索サーバーが開示されている。この情報検索・発信端末装置は情報検索・発信端末装置に位置センサー、画像入力手段等を備え、これらのセンサーあるいは入力装置から得た情報をコマンド列の一部として自動的にネットワークに送出することができる。また、検索サーバーにおいては、これらのコマンド列中に含まれる位置などをキーにして検索することができる。
【０００４】
また、位置情報を用いたコミュニケーションシステムとして、携帯情報端末を使用している間にユーザの嗜好を自動的に獲得し、常に、最新の嗜好を元に、ユーザの現在位置と嗜好が似たユーザ同士のコミュニケーションシステムが提案されている。
【０００５】
たとえば、特開平２００１−２６５８０９号公報には、次のようなコミュニケーションシステムが開示されている。このコミュニケーションシステムにおいて、携帯情報端末と無線回線を介して通信するセンターが、観光地やレストランなどのスポット情報を格納したスポット情報データベースと、時間、位置、嗜好情報を含むユーザＴＰＯデータベースと、を備え、受信メッセージから各ユーザの現在時間（Ｔ）、現在位置（Ｐ）、嗜好（Ｏ）の素材情報を抽出し、ユーザの嗜好を学習してユーザの静的な情報とからなるユーザＴＰＯデータを生成し、受信メッセージの操作情報から時間、位置、嗜好条件に適合したスポット情報をユーザの携帯情報端末に送信するか、ユーザの時間、位置、嗜好条件に適合した他のユーザにメッセージを送信することができる。
【０００６】
その他、位置情報を用いた広告提示方法として、個々の利用者の状態を考慮した効果的な広告技術を提供することが提案されている。
【０００７】
たとえば、特開平２００１−１３４５８１号公報には、次のような広告装置が開示されている。広告データを格納する受信広告データベースと、現在時間を取得する時間取得部と、広告受信機の現在位置を取得する位置取得部と、受信時期並びに嗜好それぞれについての選択基準を設定しておき、受信した広告データのうち、各選択基準を満たす広告データを選択して、受信広告データベースに格納する広告格納処理部とからなる装置において、受信広告データベースに格納されている広告データを、再生時期並びに前記利用者の再生位置及び嗜好に基づいて、時期、位置及び嗜好について評価し、評価の高い順に抽出し広告データを利用者に提示することができる。
【０００８】
【発明が解決しようとする課題】
しかしながら、上記のような従来のシステムは、各人が発信する情報は個別に処理されるため、統合的・都市的な視点を欠いている。また、位置情報に基づいて好きなデータをストックしても、そのデータは個人的価値しかもたない。即ち、個々の個人的な情報を集積して公衆に還元することはなかった。更に、主として、広告などの情報を流す主体は行政、小売店などであるため、コミュニケーションの一方向性が強まる傾向があった。
【０００９】
本発明はこのような問題を解決するためになされたもので、その目的は、都市に対して、任意の個人が意思表示に関する情報を複数の個人、企業、組織によって共有可能にするために携帯端末装置を用いて自由に発信することにより動的な情報として蓄積可能とし、さらに、公衆ネットワークに無線又は有線で接続可能な携帯端末装置を用いて動的な情報及び静的な情報からなるコミュニティ情報を得ることのできる位置情報を用いた都市型コミュニティシステムを提供する。
【００１０】
【課題を解決するための手段】
本発明は上記目的を達成するため、位置情報取得装置及び情報送信装置を搭載した携帯端末装置から携帯端末利用者の意思表示に関するユーザ情報を公衆回線を介してホストコンピュータに送信するために収集するユーザ情報収集手段と、ユーザ情報収集手段から送信されたユーザ情報を蓄積する蓄積手段と、携帯端末装置から送信されたリクエストに応じて蓄積手段に蓄積されたユーザ情報から検索をする検索手段と、検索結果を表示するクライアント情報表示手段とを含むことを特徴とする。
【００１１】
また、本発明は、ユーザ情報収集手段が携帯端末利用者の意思表示に関するユーザ情報として送金処理に係る金額と送金先に関する情報を収集することを特徴とする。
【００１２】
また、本発明は、送金処理に係る金額と送金先に関する情報が含まれているかどうかを判断する送金処理判断手段を更に含むことを特徴とする。
【００１３】
また、本発明は、送金処理判断手段により送金処理に係る金額と送金先に関する情報が含まれていると判断された場合、送金処理を実行する送金処理手段を更に含むことを特徴とする。
【００１４】
また、本発明は、蓄積手段が複数のユーザ情報を所定サイズの領域からなる複数の区画に蓄積しており、検索手段は、携帯端末装置から送信されたリクエストをデータベースが受信した場合、その時点の周辺状況を表すために複数の区画の情報を抽出することを特徴とする。
【００１５】
また、本発明は、蓄積手段が複数の携帯端末利用者毎にリクエストの送信履歴をユーザ情報として蓄積しており、検索手段は他の携帯端末利用者の送信履歴の一部を推薦地点の検索結果として抽出することを特徴とする。
【００１６】
また、本発明は、検索手段による検索結果からクライアント情報表示手段で表示可能にするためにダウンロード用データを生成する生成手段を更に含むことを特徴とする。
【００１７】
【発明の実施の形態】
次に本発明の実施の形態例について図面を参照して説明する。
＜第１の実施の形態：基本形態＞
図１は、本発明の一実施形態による位置情報を用いた都市型コミュニティシステムの一例を示す構成図である。移動可能な物体である携帯電話機やＰＤＡ等の携帯端末装置１０には、位置情報取得装置および情報送信装置が搭載されている。また、移動端末装置として、カーナビゲーションシステム等を搭載した自動車１２にも位置情報取得装置および情報送信装置が搭載され始めている。
【００１８】
携帯端末装置１０の位置情報取得装置として、例えば、ＧＰＳ（グローバル・ポジショニング・システム）からの受信情報と携帯電話やＰＨＳなどからの基地局１４への発信情報との両方の情報を利用する装置を用いるのが望ましい。
【００１９】
しかし、クライアントが必ずしもＧＰＳを用いて位置を取得するとは限らず、場合によっては有線、無線に関わらず、位置情報を取得できる機能を有するものであればよい。例えば、携帯電話やＰＨＳの簡易位置情報を用いることも可能であるし、他の場合には、位置との対応を事前にとってあるＩＰを位置情報として用いることも可能である。
【００２０】
ＧＰＳは、各々に原子時計を搭載した１８〜２４個の衛星１６を使用した位置標定のためのシステムであり、携帯端末装置１０の正確な三次元位置（緯度、経度、標高）、速度、時間を与えることができる。しかし、屋内ではＧＰＳ信号が使用できない。これに対して、基地局１４は屋内に設置可能である。
【００２１】
そして、この基地局１４は携帯端末利用者から▲１▼現在位置情報（緯度、経度、標高）、▲２▼携帯端末装置１０を利用する携帯端末利用者から発信される付加情報および▲３▼携帯端末装置１０を識別するための識別情報等を受信する。
【００２２】
ここで、付加情報とは、携帯端末利用者が現在いる場所に関連する携帯端末利用者の意思表示に係る情報である。例えば、楽しい時には、「ハッピー！」との意思表示をする。また、楽しくないときには、どこに行けば楽しくなるか「チェックしたい」との意思表示をする。この意思表示の方法については後述する。
【００２３】
次に基地局１４は、▲１▼現在位置情報、▲２▼携帯端末装置１０を利用する携帯端末利用者から発信される付加情報および▲３▼携帯端末装置１０を識別するための識別情報等を公衆ネットワークであるインターネット１８を介して、ホストコンピュータ２０に送信する。
【００２４】
ホストコンピュータ２０は、受け取った▲１▼現在位置情報、▲２▼携帯端末装置１０を利用する携帯端末利用者から発信される付加情報および▲３▼携帯端末装置１０を識別するための識別情報等を蓄積する。このようにして、複数の携帯端末装置１０からの現在位置情報及び位置に関する付加情報がとともに蓄積されていく。
【００２５】
また、ホストコンピュータ２０には、全国各地の地区別の地図データ及び地図関連情報が蓄積されている。そして、携帯端末装置１０から送信された付加情報等と関連付けて地図データ及び地図関連情報の利用が可能である。
【００２６】
地図の作成を測量に基づいて作成するのは非常にコストがかかるため、独自に作成するのは困難である。しかし、状況によっては誤差を含んでいる位置情報だけでも十分に地図の作成に用いることが可能である。このような場合にはＧＰＳ等の位置情報をアップロードしてデータベースに蓄積することによって、簡易地図を作成することが可能である。
【００２７】
そして、複数の携帯端末利用者により蓄積された情報を、携帯端末装置１０からホストコンピュータ２０に対して要求することができる。例えば、現在位置に関連するハッピー度の蓄積情報をグリッド単位で色分けして作成された地図データの送信要求をホストコンピュータ２０に送る。
【００２８】
これを受けたホストコンピュータ２０は、識別情報に基づいて特定された携帯端末装置１０の現在位置情報と識別情報および現在位置に対応する地図データ、ハッピー度の蓄積情報を合体して、携帯端末装置１０に送り返す。
【００２９】
携帯端末装置１０では、この情報およびデータを受けて、携帯端末装置１０のディスプレイに表示した地図の上に携帯端末利用者の現在位置を表示する。
【００３０】
また、携帯端末装置１０でない、無線又は有線でインターネット１８に接続可能なパーソナルコンピュータ２２の利用者も複数の携帯端末利用者により蓄積された情報を共有（閲覧）することができる。また、通信機能を有するカーナビゲーションを搭載した自動車１２やモバイル可能なノートパソコン２４からも携帯端末装置１０と同様にホストコンピュータ２０に蓄積可能な情報の発信ができる。
【００３１】
例えば、パーソナルコンピュータ２２からこれから行こうとする場所の住所などのアドレス情報を入力して、その場所に関連するハッピー度の蓄積情報をグリッド単位で色分けされた地図の送信要求を送ることができる。これを受けたホストコンピュータ２０は、アドレス情報に基づいて特定される位置情報とこの位置情報に対応する地図データ及びハッピー度の蓄積情報を合体して、パーソナルコンピュータ２２に送り返す。
【００３２】
パーソナルコンピュータ２２では、これらの情報およびデータを受けて、ディスプレイにアドレス情報に応じた場所を画面の中央に、例えば、星印で表示して、その地域のハッピー度に関する情報を表示することができる。
【００３３】
図２は携帯電話及びＰＤＡ等の携帯端末装置１０（ＧＰＳ受信機と送信装置を含む）の一例を示す構成図である。ＣＰＵ２６には、ＧＰＳ制御部２８、地上波通信制御部３０、記憶部３２、テンキー等の入力部３４、各種情報を表示するディスプレイ３６を備えている。記憶部３２には、通信処理のためのプログラムが記憶されている。また、インターネット１８を介してホストコンピュータ２０から受信した地図データ等の情報を一時的に記憶するメモリ３８を備えても良い。
【００３４】
図３は位置情報を用いた都市型コミュニティシステムの処理動作について説明する説明図である。
【００３５】
始めに、ユーザ情報収集処理１００について説明する。携帯端末利用者から送信される情報はすでに説明したように、▲１▼現在位置情報、▲２▼携帯端末装置１０を利用する携帯端末利用者から発信される付加情報および▲３▼携帯端末装置１０を識別するための識別情報等がある。
【００３６】
ユーザ情報取得４０の方法としては、携帯端末装置１０を識別するための識別情報である電話番号又はホストコンピュータ２０により予め割り当てられた固有ＩＤ等が携帯端末装置１０の記憶部３２に記憶されており、携帯端末利用者が意思表示をするときに他の情報と共に送信する方法がある。この時、携帯端末利用者が送信した日時、場所（地名、経度、緯度など）に関する情報を同時に送信する。
【００３７】
位置についての付加情報取得４２の方法としては、ｊａｖａ（登録商標；特定企業が開発したオブジェクト指向プログラミング言語)により記述されたアプリケーション、又は、他の言語によって記述された同等の機能を持つプログラムにより、付加情報を選択可能にディスプレイ３６に表示する方法がある。例えば、図７に示すように、「！！ｈａｐｐｙ！！」,「！！ｃｈｅｃｋ！！」と選択できるように表示をする。このように、携帯端末利用者は少なくとも２つの選択項目から１つを選択可能にすることにより付加情報をホストコンピュータ２０に送信するために選択する。
【００３８】
また、少なくとも２つの選択項目から１つを選択可能にする、もしくは任意のテキストデータ又は任意のファイルをユーザが入力可能とするフォームを提供して、ホストコンピュータ２０に送信するようにしてもよい。
【００３９】
また、ｊａｖａ（登録票標）等によって作成されたプログラムをダウンロードすることの他に、同等の機能を備えたＨＴＭＬコンテンツにアクセスすることにより選択可能に表示することが出来る。
【００４０】
送金情報取得４４の方法については、図７の場合と同じように選択可能にする方法と、表示画面上にテキストボックスなどを設けて、金額を入力する方法がある。
【００４１】
そして、携帯端末装置１０を用いて選択又は入力された各種の情報は、携帯端末利用者が携帯端末装置１０の入力部３４に設けられた送信用ボタン又はディスプレイ３６に表示された送信ボタンを押すことにより、基地局及びインターネット１８を介してホストコンピュータ２０に送信される。
【００４２】
収集データ蓄積４６の処理は、ホストコンピュータ２０へ送信されたユーザ情報、位置についての付加情報及び送金情報等が、それぞれホストコンピュータ２０のデータベースに蓄積されることにより実行される。
【００４３】
収集データ蓄積４６の処理において、送信されてきたデータの種別を判断し、データ種別ごとに用意されたデータベースファイルを開いて、送信されてきたデータを各種蓄積データベースに蓄積する。これにより、ＧＰＳ等の位置情報取得装置と携帯電話等の信号発信器を利用して、動的に変化する携帯端末利用者の情報を取得することができる。
【００４４】
また、この方法を利用することで、携帯端末利用者から発信する情報を取得し、その情報を都市にマッピングすることが可能となる。マッピングする対象となる情報は１つの区画（例えば、２０ｍ四方）であっても多種類存在する。
【００４５】
例えば、人の性格が十人十色であるように、携帯端末利用者の興味対象も多種多様である。即ち、興味対象が、衣類、料理、イベント、パーティー、コンサート、ライブ、にぎやかな所、静かな所、アート等いろいろ存在する。
【００４６】
従来は、携帯端末利用者に対して、都市の情報を発信する手法はこれまで多くの例があるが、本発明においては、携帯端末利用者である個人が都市に対して、個人の情報を発信して、それぞれのデータ種別ごとに動的な情報として蓄積される。
【００４７】
このように、携帯端末利用者のリアルタイムな情報を都市の情報として、再構成してもよい。一例として、タクシーを待っているという情報と、配車されている自動車１２の位置情報をそれぞれ地図にマッピングして、携帯端末装置１０のディスプレイ３６に表示することにより、配車を希望した携帯端末利用者の最近距離にいる自動車１２を配車することが可能になる。そして、これらの多種多様な情報は次に説明するように各種データベースに蓄積される。
【００４８】
ユーザ位置情報蓄積データベース４８は、ユーザ情報（携帯端末装置１０を識別するための識別情報である電話番号又はホストコンピュータ２０により予め割り当てられた固有ＩＤ、送信日時、送信場所（地名、経度、緯度））及び位置についての付加情報等を項目別にリストとして蓄積する。
【００４９】
位置関連情報蓄積データベース５０は、ホストコンピュータ２０に蓄積された地図データにより示される地域情報に応じたテキストデータ及び数値、画像や、アンケートなどの機能を有するデータなどの総てのデータを経度及び緯度の情報と共に蓄積している。例えば、図６に示されるように、「ルイ・ヴィトン」というテキストデータを位置情報に関連して蓄積している。
【００５０】
また、携帯端末装置１０のディスプレイ３６は小さいため、簡易表示用のデータも合わせて蓄積されている。例えば、「ルイ・ヴィトン」は「ヴ」のように簡略化して表示するように記憶されている。また、「ヴ」のように簡略化して表示した場合に、「ヴ」という文字にカーソールを合わせることによって「ルイ・ヴィトン」と、簡略化された情報の詳細を表示することも可能である。また、情報の詳細を表示するときに上記テキストデータと共にデータベースに蓄積されている電話番号などを選択可能に表示して、その表示された電話番号を選択することにより相手先に電話をかけることも可能である。
【００５１】
また、付加情報が送信された位置に対して、意思表示係る情報がカウントされる。例えば、上述の例でいうと、「！！ｈａｐｐｙ！！」の選択がされた地点Ａを含む区画から何回ハッピー情報が送信されたかを収集データ蓄積４６の処理の際にカウントする。
【００５２】
そして、このカウントデータを経度、緯度情報と共に項目別にリストとして蓄積する。このようにしてカウントされた累計データは、地域の統計データとして蓄積されていく。
【００５３】
また、携帯端末装置１０のディスプレイ３６は画素数が少ないため地図情報を分かりやすく表示するのが非常に困難である。この問題を解決するために、本実施の形態において、グリッドを用いて地図を表記する方法を提供する。
【００５４】
図６に示されるように、グリッド表示された地図情報の上に任意の記号を付することにより携帯端末利用者に必要な情報をすばやく直感的に提供することが可能である。携帯端末装置１０の表示機能によって、グリッド上に地図をテキストデータや記号などと重ね合わせて表示することも可能である。
【００５５】
また、グリッド上に載せる情報は、構築物の名称などの静的な情報だけでなく、その場所に多層的に存在している動的な情報（カウントされた情報やユーザがアップロードして蓄積された位置付加情報）であってもよい。また、地図表示が３次元の場合にはグリッドではなくブロックの組み合わせで表示するようにしてもよい。
【００５６】
さらに、地図上に表示するべき情報が多すぎる場合に、携帯端末利用者が優先順位をそれぞれの情報に対して与えることによって、携帯端末利用者に対して送信する情報量を認識可能な程度に制限するようにしてもよい。携帯端末利用者が指定した優先順位に関する情報はユーザ情報取得４０の際に、携帯端末装置１０から基地局及びインターネット１８を介して、ホストコンピュータ２０に送信される。
【００５７】
ホストコンピュータ２０は、優先順位に関する情報をユーザ情報（携帯端末装置１０を識別するための識別情報である電話番号又はホストコンピュータ２０により予め割り当てられた固有ＩＤ、送信日時、送信場所（地名、経度、緯度））及び位置についての付加情報等と共にユーザ位置情報蓄積データベース４８、位置関連情報蓄積データベース５０、送金情報蓄積データベースのいずれかのデータベースへ項目別にリストとして蓄積する。
【００５８】
次に、ユーザ情報収集処理１００において、送金情報取得４４が行われた際の処理動作について説明する。
【００５９】
本実施形態の位置情報を用いた都市型コミュニティシステムにおいて、任意の場所に対して、金銭や物品を支払うことを支援することができる。例えば、ＧＰＳ等の位置情報取得装置と携帯電話等の信号発信器を利用することで、実際に目の前にあるチャリティーボックスに支払うことが可能となる。
【００６０】
具体例として、コンサートスペースや展覧会に来た観客がコンサートや展覧会の入場料としての支払いを可能にする。その他、演説中の政治家に対する献金する場合や、観光地で維持管理のための資金が必要な仏像の維持費を寄付する場合にも適用できる。これまで賽銭箱などが設置されていた場所に現金を使用することなしに容易に募金などの集金行為をすることが可能になる。
【００６１】
このような場合に、本実施例における送金情報取得４４が行われる。送金情報取得４４があった場合、即ち、携帯端末利用者が金銭の支払いの意思表示をした場合に、送信対象の確認が必要となる。この送信対象確認５２の処理は、図３に示されるように送金するときだけに限られない。
【００６２】
携帯端末利用者が意思表示に関する情報を送信しようとした際に、送信対象となるものが複数ある場合にも送信対象確認５２の処理は実行される。送金処理が必要な場合は、誤った対象に対して送金がされることを防止するために、必ず送信対象確認５２の処理が実行されることが望ましい。１つの区画に送信対象が１つしか存在しないことが、ホストコンピュータ２０のデータベース検索により確認された際には、送信対象確認５２の処理を省略することができる。
【００６３】
そして、送信対象の確認処理がされた後に、送金処理が必要かどうかをホストコンピュータ２０が判断する（送金処理判断５４）。そして、送金処理判断５４において、送金処理が必要であると判断されたならば、ホストコンピュータ２０は送金処理５６を実行する。送金処理５６は、携帯端末利用者が予め指定した方法により行われる。
【００６４】
例えば、携帯端末利用者が予め指定した銀行、クレジットカード会社等へホストコンピュータ２０が携帯端末利用者から受けた送金金額などを含む送金依頼情報を送信する。
【００６５】
送金情報蓄積データベース５８は携帯端末利用者から受け取った送金依頼情報、送金対象、日時、場所を蓄積する。また、ユーザ位置情報蓄積データベース及び位置関連情報蓄積データベース５０にも後に参照可能な履歴として蓄積される。
【００６６】
また、位置に対して送金するという行為とは逆に、その位置から送金を受けることも可能である。即ち、位置からの送金を受け取ること（入金）ができる。この送金又は入金の対象となるのは、電子マネーのように実際の通貨に応じたものでもよいし、仮想的なものでもよい。例えば、仮想的なものとしては、ゲームの中でのみ使用されるキャラクターが使用するお金等がある。また、地域通貨であってもかまわない。
【００６７】
また、送信対象確認５２の処理において、任意の場所に対して携帯端末装置１０が情報を入力するときに、携帯端末装置１０でその入力先を確認しながら入力することができる。携帯端末装置１０から取得した位置情報によって、携帯端末装置１０が予めどの領域に属するかを判別することが可能である。
【００６８】
この際、どの領域に携帯端末装置１０が属しているとしたいのか、携帯端末装置１０に確認を取ることも可能である。例えば、八百屋とスーパーマーケットが隣接していてその前から情報を入力しようとするときに、八百屋に対して情報を入力することを希望するのか、スーパーマーケットに対して情報を入力することを希望するのかを、予め確認してから入力及び送信することができる。もちろん確認の必要が無いときはこの手順を省略できる。
【００６９】
このように、携帯端末装置１０から情報を送信する対象を確認する方法として、携帯端末装置１０が属する領域または属する領域に隣接する領域に存在する情報を入力可能な場所のリストを位置関連情報蓄積データベース５０から抽出して携帯端末装置１０に出力し、携帯端末装置１０のディスプレイ３６上で選択可能に表示するようにしてもよい。
【００７０】
ここで、携帯端末装置１０が属する領域または属する領域に隣接する領域に存在する情報を入力可能な場所のリストの作成は、特に、区画の境界線付近で情報を入力可能な場所が複数ある場合に有効である。
【００７１】
もちろん、ホストコンピュータ２０が携帯端末装置１０の属する領域であると判断した領域に存在する情報を入力可能な場所のリストを始めに表示して、このリストに携帯端末利用者が入力したい場所に関する情報が存在しない場合に、隣接する領域に存在する場所のリストを表示するようにしてもよい。
【００７２】
また、お店に対して送金処理を行ったことを送金された側で確認すること（入金確認）を可能にするために、送金者によって取得可能なパスワードを発行し、そのパスワードを用いてお店が入金を確認できるようにしてもよい。例えば、カフェでコーヒーを飲んだ場合の支払いをレシート（店側の控え）上にこのパスワードを書き込むことによって店員に渡し、それを店員がインターネット等の確認画面で確認するようにしてもよい。送金者は予め所定のパスワードに対して使用可能な金額を入金をしておき、そのパスワードに対する残高がなくなるまで使用できるようにしてもよい。
【００７３】
また、送金したことを確認する他の方法として、パスワードだけではなく、バーコードなどそれに類するものを発行するようにしてもよい。例えば、送金後に送金処理の完了を示すバーコード情報を受信して、バーコード情報に基づき携帯端末装置１０のディスプレイ３６上にバーコードを表示する。このディスプレイ上に表示されたバーコードを例えばレジに設置されたバーコードリーダで読み取るという方法でもよい。
【００７４】
次に、情報蓄積・検索・解析処理２００における収集データに基づく検索６０について説明する。図４は収集データに基づく検索６０における▲１▼位置情報に基づいて周辺の情報を取得する方法と、▲２▼推薦位置の検索方法を説明するための説明図である。
【００７５】
上述のように収集及び蓄積されたデータは図６に示されるようなクライアント情報表示３００として表示される。収集データに基づく検索６０は携帯端末装置１０からのリクエストに応じて開始される。
【００７６】
ホストコンピュータ２０がリクエストを受け取ると（リクエスト受信）、リクエストに応じて、必要なデータベースからデータを抽出し、リクエストを出力した携帯端末装置１０へ抽出結果を出力する。
【００７７】
この時、リクエストと共に送信されてきた携帯端末装置１０の位置情報を用いてユーザ位置情報蓄積データベース及び／又は位置関連情報蓄積データベース５０の検索を実行する（周辺情報検索４０１、４０３）。
【００７８】
具体的には、ユーザ位置情報蓄積データベース４８からは例えば、その日又は最近の携帯端末利用者の送信履歴が抽出される。ここでいう送信履歴は、携帯端末利用者が意思表示をした履歴である。即ち、定期的に、携帯移動端末から位置情報と時間を単に収集した情報とは異なり、携帯端末利用者の意思情報が付加されている。
【００７９】
そして、位置関連情報蓄積データベース５０からは地図データ、静的な情報及び動的な情報を送信されてきた位置情報及び意思表示に関する情報に基づき抽出する。このように、周辺情報を取得することにより図６に示されるようなクライアント情報表示３００が生成される。
【００８０】
次に、携帯端末利用者が収集データに基づく検索６０を行う際に、他の携帯端末利用者により蓄積された収集データの利用について説明する（推薦位置の検索方法）。
【００８１】
推薦位置の検索は携帯端末装置１０からのリクエストに応じて開始される。ホストコンピュータ２０がリクエストを受け取ると（リクエスト受信）、リクエストに応じて、リクエストと共に送信されてきた携帯端末装置１０の位置情報を用いてユーザ位置情報蓄積データベース及び／又は位置関連情報蓄積データベース５０の検索を実行して、携帯端末利用者の現在位置を特定する（４０５）。
【００８２】
次に、携帯端末利用者の過去の位置情報送信履歴を取得する（４０７）。ここで取得した位置情報送信履歴を用いて、ユーザ位置情報蓄積データベース及び／又は位置関連情報蓄積データベース５０から他の携帯端末利用者の位置情報送信履歴を検索する（４０９）。
【００８３】
そして、携帯端末利用者の送信履歴に一致若しくは類似した他の携帯端末ユーザの送信履歴からリクエストに応じた推薦位置をリスト又は地図データとして取得する（４１１）。
【００８４】
また、取得したデータに対して、図５に示すように優先順位をつけることができる。図５は表示優先順位生成６２における▲１▼位置関連情報及び／又は位置関連情報蓄積データベース５０を用いて表示する関連情報の表示順序を生成する方法と、▲２▼位置関連情報及び／又は位置関連情報蓄積データベース５０を用いて推薦地点の表示順序を生成する方法を説明するための説明図である。
【００８５】
始めに、位置関連情報及び／又は位置関連情報蓄積データベース５０を用いて表示する関連情報の表示順序を生成する方法において、ホストコンピュータ２０がリクエストを受け取ると（リクエスト受信）、リクエストに応じて、必要なデータベースからデータを抽出し、リクエストを出力した携帯端末装置１０へ抽出結果を出力する。
【００８６】
この時、リクエストと共に送信されてきた携帯端末装置１０の位置情報を用いてユーザ位置情報蓄積データベース及び／又は位置関連情報蓄積データベース５０の検索を実行して、リストを抽出する（５０１）。
【００８７】
抽出されたリストのうち携帯端末利用者により予め設定された表示順序に基づいてクライアント情報表示３００のための表示順序の生成をする（５０３）。
【００８８】
これに対して、位置関連情報及び／又は位置関連情報蓄積データベース５０を用いて推薦地点の表示順序を生成する方法として、予め設定された表示順序に従うことなく関連情報で動的な情報のうち変動が大きいものをトピックとして携帯端末利用者に提供する方法がある。
【００８９】
始めに、位置関連情報及び／又は位置関連情報蓄積データベース５０を用いて表示する関連情報の表示順序を生成する方法において、ホストコンピュータ２０がリクエストを受け取ると（リクエスト受信）、リクエストに応じて、位置関連情報及び／又は位置関連情報蓄積データベース５０からデータを検索する（５０５）。ここでの推薦位置は関連情報で動的な情報のうち変動が大きい順にリストを作成して、関連情報を表示する推薦位置を取得する（５０７）。
【００９０】
例えば、推薦位置はイベント、ショップ、公園等の分類別に文字情報としてリストの作成をする。又は、地図上に１、２、３などの番号を付して推薦位置として表示し、この推薦番号を携帯端末装置１０の入力部３４で選択することにより詳細情報を表示するようにしてもよい。
【００９１】
このようにして、関連情報を表示する推薦位置での表示順序及び／又は推薦位置の表示順序を生成する（５０９）。
【００９２】
そして、▲１▼位置関連情報及び／又は位置関連情報蓄積データベース５０を用いて表示する関連情報の表示順序を生成する方法と、▲２▼位置関連情報及び／又は位置関連情報蓄積データベース５０を用いて推薦地点の表示順序を生成する方法とによりけられた結果をクライアント情報表示に利用できるダウンロード用データとして生成する。
【００９３】
＜第２の実施の形態：Ｈａｐｐｙ  Ｃｉｔｙ＞
上述の実施の形態を更に具体的に以下説明する。「Ｈａｐｐｙ  Ｃｉｔｙ」は位置情報を用いた都市型コミュニティシステムの一例である。図７は「Ｈａｐｐｙ  Ｃｉｔｙ」における意思表示を選択形式で可能にした表示例である。
【００９４】
この画面はインターネット１８を介して所定のアドレスにアクセスすることにより表示される。又は、予め用意されたｊａｖａ（登録商標）により記述されたアプリケーションをダウンロードすることにより表示できるようにしてもよい。また、他の言語によって作成された同等の機能を持つプログラムをダウンロードすることの他に、同等の機能を備えたＨＴＭＬコンテンツにアクセスすることにより選択可能に表示することが出来る。
【００９５】
「Ｈａｐｐｙ  Ｃｉｔｙ」は楽しいときには「！！ｈａｐｐｙ！！」ボタンを選択することにより、インターネット１８を介してホストコンピュータ２０に携帯端末利用者が楽しいと感じたことを位置情報についての付加情報として送信する。これにより、都市に、「ハッピー！」と仮想的に伝えたり蓄積したりすることができる。
【００９６】
もし、楽しくないときには、どこに行けば楽しい気持ちになれるのかを「！！ｃｈｅｃｋ！！」ボタンを押すことにより、インターネット１８を介してホストコンピュータ２０に携帯端末利用者が周辺のハッピー度を知りたいことをリクエストとして送信する。
【００９７】
ホストコンピュータ２０がこのリクエストを受信すると、携帯端末利用者の位置情報を利用して、ユーザ位置情報蓄積データベース及び／又は位置関連情報蓄積データベース５０から収集データに基づく検索６０を実行する。
【００９８】
図８（ａ）はセル（区画）とランドマークアイコンを表示したｈａｐｐｙ状況検索結果を示す説明図である。図８（ｂ）はセルとランドマークアイコンを地図に重ねて表示したｈａｐｐｙ状況検索結果を示す説明図である。
【００９９】
これらの表示結果は５日間ほど青山にて４、５人程度で「Ｈａｐｐｙ  Ｃｉｔｙ」を非公開な実験において利用した際の非公開な表示結果である。
【０１００】
検索結果画面（クライアント情報表示）において、１セル（１区画）の一辺が２０ｍであるとすると１５０ｍ×１５０ｍの範囲が表示されている。ここで、星印は携帯端末利用者の位置を示す。携帯端末利用者がよく知っている場所である場合は図８（ａ）の表示で十分である。また、よく知らない場所である場合は図８（ｂ）の表示がよい。
【０１０１】
ハッピー度は、色のグラデーションで示される。例えば、赤色がハッピー度の一番強い場所であり、青色がハッピー度の弱い場所である。この色のグラデーションは携帯端末利用者が任意に設定できるようにしてもよい。
【０１０２】
地図上に表示された１セルに１文字の漢字アイコンは、周辺のランドマークを示す。例として、病＝伊藤病院、学＝青山学院大学敷地、ヴ＝ルイ・ヴィトン（店名）等が表示されている。
【０１０３】
また、地図上に表示された１セルに２文字のアルファベットアイコンは、テンポラリーな場所情報を示す。例として、ｓＰ＝ｓｐｕｔｎｉｋ  Ｐａｄ（店名）、ｈｈ＝Ｈｈｓｔｙｌｅ．ｃｏｍ（店名）等が表示されている。
【０１０４】
図９は図８（ａ）及び図８（ｂ）で示した縮尺より広域の表示例を示した検索結果を示す説明図である。このように、広域でｈａｐｐｙ状況をチェックすることにより、街のどのあたりに向かっていけばよいかを把握することができる。
【０１０５】
また、ハッピーな場所の推薦機能として、表示結果のハッピー度を示す色を点滅させるなどして、形態端末利用者に行くべき場所を推薦することが可能である。このような表示スケールの切り替え及び色の点滅などを可能にすることにより携帯端末装置１０の小さい画面での周辺情報表示をより効率的に行うことができる。
【０１０６】
図１０は青山おける「Ｈａｐｐｙ  Ｃｉｔｙ」の実験結果をＷｅｂで表示した表示例を示す説明図である。
【０１０７】
実際に「Ｈａｐｐｙ  Ｃｉｔｙ」を利用した際に、青山においてＴｏｋｙｏ  Ｄｅｓｉｇｎｅｒ’ｓ  Ｂｌｏｃｋというイベントが行われていた。ショウウィンドウ等を使って街に分散している展示物を見て回りながら、気に入った場所で「！！ｈａｐｐｙ！！」ボタンを押してもらった。
【０１０８】
青山通り沿いに、とても目立つ大きなドームが設置されていて、その付近が非常にｈａｐｐｙ度が高い結果となった。これは、そのドームがイベントの拠点の１つであり、パーティーやコンサートなどが常に行われていたことを象徴している。
【０１０９】
これは、「Ｈａｐｐｙ  Ｃｉｔｙ」を、アート／デザインのイベント用に特化した「Ｈａｐｐｙ  Ａｒｔ」といってもよい。このように、コミュニティがはっきりしている場合は、パッピーな場所を目指すと他の携帯端末利用者にとってもパッピーな場所であることが多かった。本発明により都市生活者自らの手によって場所が自由に意味を帯び、更新を繰り返し、場の力が強化されることが可能となる。
【０１１０】
＜第３の実施の形態：位置情報を用いたアンケート及び投票システム＞
本発明における位置情報を用いた都市型コミュニティシステムを利用して、位置情報に基づくアンケートをとったり、投票を行ったりすることができる。例えば、上述の送信対象確認５２の処理において、アンケート対象を選択可能にしたり、投票対象を選択可能にしたりすることにより実施可能である。
【０１１１】
また、データベースに蓄積する都市情報（位置関連付加価値情報）は、イベントなどのためのテンポラリーな情報でもよい。さらに、都市情報は、位置に関連して埋め込まれたアンケートフォームでもよい。これにより、アンケートや投票システムとして利用可能となる。
【０１１２】
＜第４の実施の形態：位置情報に基づいて移動体から入力されるデータを解析して返還するシステム＞
任意の場所から、移動体が意図的に（あるいは意図的でなくてもよい）発信したプライベートな情報を複数集めて解析を加えて、個人的に固有の意味をもたらすように変換し、それを個人に還元するシステムを提供することができる。ＧＰＳなどの位置情報取得装置と携帯電話等の信号発信器を利用して、移動体が位置情報に基づくデータを発信した場合に、これを複数の移動体から集めて、データマイニングを施すことで、データの集積に意味をもたせることが可能である。
【０１１３】
そして、意味のある形に変換された集積情報を各移動体に返すことができる。この方法を利用することで、例えば、位置情報・入力情報において似た履歴をもつ移動体同士を検索して、互いにその行動履歴を共有することができる。これにより、互いに個人情報を明かさずに、よく似た趣味を持つ移動体とコミュニケーションをすることが可能となる。
【０１１４】
即ち、不特定多数との匿名性の高いコミュニケーションが、街歩きのナビゲーションとして利用可能となる。
【０１１５】
＜第５の実施の形態：位置情報にデータをアーカイヴできるシステム＞
任意の位置に、データをアーカイヴしておき、好きなときあるいは特定のときに、誰でもあるいは特定の人間が、そのデータにアクセスすることができるシステムを提供することができる。この方法を利用することで、例えば、墓の一つ一つに対応させて情報をストックして、墓参りに来た人がその情報にアクセスすることができる。
【０１１６】
墓情報の強化システムや、歴史的建造物の置かれている場所に、データをアーカイヴしておき、観覧に来た人が、そのデータにその場所でアクセスできるようになる。
【０１１７】
【発明の効果】
以上説明したように本発明の位置情報を用いた都市型コミュニティシステムは、都市に対して、任意の個人が意思表示に関する情報を複数の個人、企業、組織によって共有可能にするために携帯端末装置を用いて自由に発信することにより動的な情報として蓄積可能とし、さらに、公衆ネットワークに無線又は有線で接続可能な携帯端末装置を用いて動的な情報及び静的な情報からなるコミュニティ情報を得ることができる。
【図面の簡単な説明】
【図１】本発明の一実施形態による位置情報を用いた都市型コミュニティシステムの一例を示す構成図である。
【図２】本発明の一実施形態による携帯電話及びＰＤＡ等の携帯端末装置（ＧＰＳ受信機と送信装置を含む）の一例を示す構成図である。
【図３】本発明の一実施形態による位置情報を用いた都市型コミュニティシステムの処理動作について説明する説明図である。
【図４】本発明の一実施形態による収集データに基づく検索における▲１▼位置情報に基づいて周辺の情報を取得する方法と、▲２▼推薦位置の検索方法を説明するための説明図である。
【図５】本発明の一実施形態による表示優先順位生成における▲１▼位置関連情報及び／又は位置関連情報蓄積データベースを用いて表示する関連情報の表示順序を生成する方法と、▲２▼位置関連情報及び／又は位置関連情報蓄積データベースを用いて推薦地点の表示順序を生成する方法を説明するための説明図である。
【図６】本発明の一実施形態によるクライアント情報表示の一例を示す図である。
【図７】本発明の一実施形態による「Ｈａｐｐｙ  Ｃｉｔｙ」における意思表示を選択形式で可能にした表示例である。
【図８】図８（ａ）はセル（区画）とランドマークアイコンを表示したｈａｐｐｙ状況検索結果を示す説明図である。図８（ｂ）はセルとランドマークアイコンを地図に重ねて表示したｈａｐｐｙ状況検索結果を示す説明図である。
【図９】図８（ａ）及び図８（ｂ）で示した縮尺より広域の表示例を示した検索結果を示す説明図である。
【図１０】青山おける「Ｈａｐｐｙ  Ｃｉｔｙ」の実験結果をＷｅｂで表示した表示例を示す説明図である。
【符号の説明】
１０  携帯端末装置
１２  自動車
１４  基地局
１６  衛星
１８  インターネット
２０  ホストコンピュータ
２２  パーソナルコンピュータ
２４  ノートパソコン
２６  ＣＰＵ
２８  ＧＰＳ制御部
３０  地上波通信制御部
３２  記憶部
３４  入力部
３６  ディスプレイ
３８  メモリ
４０  ユーザ情報取得
４２  位置についての付加情報取得
４４  送金情報取得
４６  収集データ蓄積
４８  ユーザ位置情報蓄積データベース
５０  位置関連情報蓄積データベース
５２  送信対象確認
５４  送金処理判断
５６  送金処理
５８  送金情報蓄積データベース
６０  収集データに基づく検索
６２  表示優先順位生成
【図１】
2004213204.tif 000003
【図２】
2004213204.tif 000004
【図３】
2004213204.tif 000005
【図４】
2004213204.tif 000006
【図５】
2004213204.tif 000007
【図６】
2004213204.tif 000008
【図７】
2004213204.tif 000009
【図８】
2004213204.tif 000010
【図９】
2004213204.tif 000011
【図１０】
2004213204.tif 000012